(57)【要約】【課題】  実行させたい機能を簡易な操作によって選択することができる画像処理装置を提供する。【解決手段】  表示部９は、ＬＣＤ８ａと、このＬＣＤ８ａに設けられたタッチパネル８ｂとを備え、ＬＣＤ８ａにはコピー等の機能に関するツリー構造の機能設定画面が表示される。タッチパネル８ｂには、機能に対応した番号を入力するためのテンキー、２桁キー、３桁キー等を備える。機能設定画面は、上位の階層から下位の階層に機能がツリー構造に階層化されており、各階層に対応する数値をテンキーで入力するほか、タッチパネル８ｂ上の２桁キー、３桁キー、機能ボタン等を操作することにより、対応する機能設定画面が効率よく表示される。【選択図】    図１
2006245937.tif 000002
【特許請求の範囲】
【請求項１】
ツリー構造の複数の検索対象を、一つの検索対象が有する選択枝を識別する文字を最上位の階層から最下位の階層に向かって組み合わせた識別情報とともに記憶する記憶部と、
前記文字を入力する文字入力部、および前記文字が２つ以上のとき、前記文字入力部から文字を入力すると同時あるいはその直前に文字数を指定する文字数指定部により前記識別情報を入力する識別情報入力部と、
前記検索対象を表示する表示部と、
前記識別情報入力部から入力された前記識別情報に対応する前記検索対象を前記記憶部から読み出して前記表示部に表示する表示制御部とを備えたことを特徴とする画像処理装置。
【請求項２】
前記文字入力部は、０〜９の数字を含むテンキーであることを特徴とする請求項１に記載の画像処理装置。
【請求項３】
前記識別情報入力部は、前記表示部に重合配置されたタッチパネルであることを特徴とする請求項１に記載の画像処理装置。
【請求項４】
前記表示制御部は、表示の指示があったとき、その前に前記文字入力部から入力された前記文字を前記識別情報と認識し、前記識別情報に対応する前記検索対象を前記表示部に表示することを特徴とする請求項１に記載の画像処理装置。
【請求項５】
前記検索対象は、機能あるいは機能パラメータを設定する機能設定画面であることを特徴とする請求項１に記載の画像処理装置。
【請求項６】
前記検索対象は、機能あるいは機能パラメータを設定する機能設定画面、および個人宛の電子メールを格納する親展ボックスであることを特徴とする請求項１に記載の画像処理装置。
【請求項７】
前記表示制御部は、前記識別情報入力部によって入力される文字に応じて機能項目をツリー形式で前記表示部に表示することを特徴とする請求項５又は６に記載の画像処理装置。
【請求項８】
前記識別情報入力部は、前記表示部に重合配置されたタッチパネルであり、
前記表示制御部は、前記表示部に表示された前記機能項目に対応する前記タッチパネルの部分が押下されたとき、押下された前記機能項目に対応する機能設定画面を前記表示部に表示することを特徴とする請求項７に記載の画像処理装置。
【請求項９】
前記表示制御部は、前記識別情報入力部によって入力される文字に応じて機能項目および機能パラメータをツリー形式で前記表示部に表示することを特徴とする請求項５又は６に記載の画像処理装置。
【請求項１０】
前記表示制御部は、前記機能パラメータを前記ツリー形式による表示に含める指示があったき、前記機能項目および前記機能パラメータをツリー形式で前記表示部に表示することを特徴とする請求項９に記載の画像処理装置。
【請求項１１】
前記識別情報入力部は、前記表示部に重合配置されたタッチパネルであり、
前記表示制御部は、前記表示部に表示された前記機能項目に対応する前記タッチパネルの部分が押下されたとき、押下された前記機能項目に対応する機能設定画面を前記表示部に表示し、前記機能パラメータに対応する前記タッチパネルの部分が押下されたとき、押下された前記機能パラメータを設定することを特徴とする請求項９に記載の画像処理装置。
【発明の詳細な説明】
【技術分野】
【０００１】
本発明は、複写，プリント，スキャン，ファックス等の画像処理装置に関する。
【背景技術】
【０００２】
近年、複写機、プリンタ、複合機等の画像処理装置の高機能化に伴って、機能を選択して設定する設定画面が増えており、深い階層に位置する設定画面を少ない手順で表示するようにした提案がなされている（例えば、特許文献１参照。）
【０００３】
特許文献１に記載された機能設定入力方法及び装置は、複数の機能項目及び機能パラメータをツリー構造で分類し、ツリー構造の各階層の選択肢に０〜９の数字を割り当てたものである。
【０００４】
例えば、１１５％の拡大コピーを行いたい場合は、それぞれ「１」、「２」、「３」、「４」の機能番号が割り当てられた最上層の「部数設定」、「原稿設定」、「用紙設定」、「変倍設定」に対して「４」のテンキーを押下して「変倍設定」の機能を選択し、この「変倍設定」の下層（選択肢）として構成され、それぞれ「１」、「２」、「３」、「４」の機能番号が割り当てられた「等倍」、「拡大」、「縮小」、「％独立変倍」の機能項目に対して「２」のテンキーを押下して「拡大」の機能項目を選択し、この「拡大」の機能の下層として構成され、それぞれ「１」、「２」、「３」、「４」の機能パラメータが割り当てられた「１１５％」、「１２２％」、「１４１％」、「２００％」に対して「１」のテンキーを押下することにより、設定が終了する。
【０００５】
この構成によれば、機能パラメータに対しても数字が割り当てられているため、機能パラメータを選択する設定画面を表示する手間を省くことができる。
【特許文献１】特開２００３−２１９８６号公報（［００２０］〜［００２７］、図２、図３）
【発明の開示】
【発明が解決しようとする課題】
【０００６】
しかし、従来の画像処理装置によると、機能および機能パラメータに割り当てられた番号をハードテンキーを利用して入力しているため、選択肢の数が９以下に限定されることから、多機能化に対応が難しい。この場合、多機能化に対応するために階層を増やすと、入力操作回数が増えるという問題がある。また、ソフトテンキーを用いて選択肢の数を１０以上とした場合には、番号が1桁であっても、例えば「０１」と入力しなければならず、機能番号全体の桁数が多くなり、かえって手間がかかるようになる。
【０００７】
従って、本発明の目的は、実行させたい機能等を簡易な操作によって選択することができる画像処理装置を提供することにある。
【課題を解決するための手段】
【０００８】
本発明は、上記目的を達成するため、ツリー構造の複数の検索対象を、一つの検索対象が有する選択枝を識別する文字を最上位の階層から最下位の階層に向かって組み合わせた識別情報とともに記憶する記憶部と、前記文字を入力する文字入力部、および前記文字が２つ以上のとき、前記文字入力部から文字を入力すると同時あるいはその直前に文字数を指定する文字数指定部により前記識別情報を入力する識別情報入力部と、前記検索対象を表示する表示部と、前記識別情報入力部から入力された前記識別情報に対応する前記検索対象を前記記憶部から読み出して前記表示部に表示する表示制御部とを備えたことを特徴とする画像処理装置を提供する。
【０００９】
上記画像処理装置によれば、最上位の階層を選択するため文字を文字入力部から入力し、それ続いて最上位よりも下位の階層を選択するための文字を文字入力部から入力する。この操作を目的の階層まで行う。２つ以上の文字を入力するときは、文字数指定部により文字数を指定する。識別情報入力部から識別情報が入力されると、表示制御部によって対応する検索対象が検索され、表示部に表示される。
【００１０】
上記文字入力部により入力する文字は、０〜９の数字、英文字等が含まれる。数字により選択枝を識別することにより、キーを設ける領域を比較的小さくすることができる。一方、英文字により選択枝を識別することにより、選択枝の数を数字の場合よりも多くすることができる。
【００１１】
上記識別情報入力部は、表示部に重合配置されたタッチパネルとするのが好ましい。これにより、識別情報入力部の小型化を図れ、操作性が向上する。
【００１２】
上記表示制御部は、表示の指示があったとき、その前に文字入力部から入力された文字を識別情報と認識し、その識別情報に対応する検索対象を表示部に表示する構成としてもよい。この構成によれば、識別情報に対応する検索対象が複数存在する場合に、それらの一覧を表示することができ、その一覧から検索対象を絞り込むことができる。
【００１３】
上記検索対象は、機能あるいは機能パラメータを設定する機能設定画面としてもよく、さらに、個人宛の電子メールを格納する親展ボックスを含めてもよい。
【００１４】
上記表示制御部は、識別情報入力部によって入力される文字に応じて機能項目をツリー形式で表示部に表示してもよい。この場合、上記識別情報入力部は、表示部に重合配置されたタッチパネルとし、上記表示制御部は、表示部に表示された機能項目に対応するタッチパネルの部分が押下されたとき、押下された機能項目に対応する機能設定画面を表示部に表示することが好ましい。目的の機能設定画面に対応する識別情報を完全に入力しなくても目的の機能設定画面を表示することが可能になる。
【００１５】
上記表示制御部は、識別情報入力部によって入力される文字に応じて機能項目および機能パラメータをツリー形式で表示部に表示してもよい。この場合、上記表示制御部は、機能パラメータをツリー形式による表示に含める指示があったき、機能項目および機能パラメータをツリー形式で表示部に表示してもよい。また、上記識別情報入力部は、表示部に重合配置されたタッチパネルとし、上記表示制御部は、表示部に表示された機能項目に対応するタッチパネルの部分が押下されたとき、押下された機能項目に対応する機能設定画面を表示部に表示し、機能パラメータに対応するタッチパネルの部分が押下されたとき、押下された機能パラメータを設定する。機能項目を押下することにより、目的の機能設定画面に対応する識別情報を完全に入力しなくても目的の機能設定画面を表示することが可能になる。また、機能パラメータを設定するために設定画面を表示する必要がなくなる。
【発明の効果】
【００１６】
本発明の画像処理装置によれば、実行させたい機能等を簡易な操作によって選択することができる。
【発明を実施するための最良の形態】
【００１７】
［第１の実施の形態］
図１は、本発明の第１の実施の形態に係る画像処理装置を示す。この画像処理装置１は、この装置１全体を制御する表示制御部としてのＣＰＵ２を有し、このＣＰＵ２にバス３を介して、ＣＰＵ２が実行する制御プログラムを記憶するＲＯＭ４と、各種のデータを記憶するＲＡＭ５と、原稿から画像を光学的に読み取るスキャナ部６と、スキャナ部６によって読み取られた画像やその他のデータ等を用紙に印刷する印刷部７と、ＬＣＤ(Liquid Crystal Display)８ａおよびタッチパネル８ｂからなる表示入力部８と、ＬＣＤ８ａへの表示を制御するＬＣＤコントローラ１０と、タッチパネル８ｂからの入力を制御するタッチパネルコントローラ１１と、画像を公衆回線を介して送受信するファックス通信部１２と、画像をＬＡＮ等のネットワークを介して送受信するネットワークインタフェース（Ｉ／Ｆ）１３とを各々接続して構成された複合機である。
【００１８】
ＲＯＭ４には、複写（コピー），プリント，スキャン，ファックス等の本装置１が有する各種の機能をＣＰＵ２が実行するための機能実行プログラム４ａと、ＣＰＵ２が後述する機能設定画面をＬＣＤ８ａに表示するための表示用プログラム４ｂ等の各種の制御プログラムが格納されている。
【００１９】
ＲＡＭ５には、ＬＣＤ８ａに表示される複数の機能設定画面データ５ａと、複数の機能設定画面データ５ａをツリー構造で関係付けるための階層構造データ５ｂ等の各種のデータが格納されている。
【００２０】
印刷部７は、電子写真方式、インクジェット方式、熱転写方式等の各種のプリンタを用いることができる。
【００２１】
表示入力部８のタッチパネル８ｂは、ＬＣＤ８ａ上に重合配置されており、指等で押下することにより、その押下された位置のＸＹ座標データがキー入力信号としてタッチパネルコントローラ１１からＣＰＵ２に出力されるようになっている。
【００２２】
図２は、ＲＡＭ５に格納されている階層構造データ５ｂを示す。この階層構造データ５ｂは、画像処理装置１が有する機能のうちコピー機能に関する複数の機能項目を表したものである。コピー機能に関する複数の機能項目は、ツリー構造によって関係付けられており、４階層のツリー構造を有している。第１階層３０ａの「コピー」の機能項目３１には、第２階層３０ｂとして、「基本コピー」、「画質調整」、および「読取方法」の機能項目３１が属している。「画質調整」には、第３階層３０ｃとして、「コピー濃度」、「原稿の画質」、「地色除去」、および「シャープネス」の機能項目３１が属し、「読取方法」にも第３階層３０ｃとして、「ページ連写」、「ブック画面」、「原稿サイズ入力」、「ミックスサイズ原稿送り」、「わく消し」、および「コピー位置／とじしろ」の機能項目３１が属している。また、「コピー位置／とじしろ」には、第４階層３０ｄとして、「おもて」と「うら」の機能項目３１が属している。また、第４階層３０ｄとして、「うすく（＋３）」、「うすく（＋２）」等の機能パラメータとしての設定値３４が属している。
【００２３】
これらの機能項目３１および設定値３４の選択枝には、１桁あるいは複数桁の数字からなる枝識別情報としての枝番号３２が割り当てられている。同図の場合は、１桁の枝番号３２の例を示す。例えば、第２階層３０ｂの「画質調整」の機能項目３１が有する選択枝には、「コピー濃度」、「原稿の画質」、「地色除去」、および「シャープネス」の機能項目３１に対応してそれぞれ「１」、「２」、「３」、「４」の枝番号３２が割り当てられている。
【００２４】
また、１又は２以上の枝番号からなる画面識別情報としてのＩＤ番号３３に対応して機能設定画面は、ＲＡＭ５に登録されている。例えば、「地色除去」の機能設定画面は、「１−２−３」のＩＤ番号３３とともに設定画面データ５ａとしてＲＡＭ５に格納されている。
【００２５】
（第１の実施の形態の動作）
次に、第１の実施の形態の動作を図３〜図５に示す表示画面を参照して説明する。図３は、ＬＣＤ８ａの表示画面に表示される初期画面を示す。図４は、表示画面のガイドメッセージ表示部に表示されたコピー機能の下層に存在する機能項目の一覧（リスト）を示す画面図である。また、図５は、図４の「地色除去」を設定する設定画面である。なお、以下の動作説明では、特に記述がない限り、ＣＰＵ２が行うものとする。
【００２６】
（初期画面の表示）
画像処理装置１の電源を投入すると、ＣＰＵ２は、ＲＯＭ４に格納されている表示用プログラム４ｂに従い、ＬＣＤコントローラ１０を制御してＬＣＤ８ａの表示画面１００に図３に示すような初期画面を表示する。初期画面には、０〜９の１０個のテンキー２０ａ、複数桁数指定キーとしての２桁キー２０ｂおよび３桁キー２０ｃを含むテンキー部２０と、テンキー２０ａから入力されたＩＤ番号３３（枝番号３２）を表示する画面番号表示部２１と、設定画面を表示する機能ボタン２２と、画面番号表示部２１に入力した枝番号３２あるいはＩＤ番号３３をクリアするクリアキー２３と、ユーザが選択できる内容をツリー形式で表示するガイドメッセージ表示部２４、設定値の表示を指示する設定値表示チェック部２５が表示される。なお、図３内の表示要素は、常に全てが表示されるとは限らず、設定画面によっては、表示されないものもある。
【００２７】
（機能設定画面の表示）
まず、ユーザは、例えば、コピー機能を使用したいときには、コピー、ファックス、スキャン等の各機能を選択するための「機能切り替えメニュー」をＬＣＤ８ａの表示画面１００に表示させる。ここで、ユーザは、記憶を基に或いはマニュアル等を参照するなどして、「コピー機能」に対応するＩＤ番号３３が「１」であることを把握する。ユーザが、図２の表示画面１００のテンキー部２０内の「１」のテンキー２０ａを押下すると、ＣＰＵ２は、図４に示すように、コピー機能の下層に存在する機能項目を画面リストとしてガイドメッセージ表示部２４に表示する。
【００２８】
図４は、その画面リストが表示されている状態を示す。表示画面には、リスト表示武２４の上部に第１乃至第４階層に対応して階層番号３５が表示され、機能項目３１が枝番号３２とともに表示されている。
【００２９】
ユーザは、ガイドメッセージ表示部２４の表示内容を閲覧し、表示内容中に希望する機能項目が無い場合、ガイドメッセージ表示部２４の右側および下側のスクロールバー２４ａ，２４ｂを操作し、画面をスクロールして希望する機能項目が表示されるようにする。
【００３０】
ここで、ユーザが、ガイドメッセージ表示部２４内の第２，第３階層を参照し、「地色除去」を希望する場合、ユーザは、ガイドメッセージ表示部２４内の「地色除去」に対応するタッチパネル８ｂの部分を指で押下する。タッチパネル８ｂは、押下された位置のＸＹ座標データをタッチパネルコントローラ１１からＣＰＵ２に送る。ＣＰＵ２は、「地色除去」の行が目立つような強調表示（例えば、地色を青色に変換する。）を行う。
【００３１】
「地色除去」の行の地色の変化から、「地色除去」を選択できたことを確認したユーザは、タッチパネル８ｂの機能ボタン２２を押下する。この操作を検知したＣＰＵ２は、図５に示す「地色除去」設定画面を表示する。
【００３２】
図５の設定画面には、「地色除去」を実行するか否かを選択するための項目である「しない」キー３６ａ、「する」キー３６ｂが表示されるほか、「地色除去」を取り消す「取り消し」キー３７ａ、「地色除去」設定画面を閉じる「閉じる」キー３７ｂの各クリック部が表示されている。
【００３３】
ユーザが、図５の設定画面において、「する」キー３６ｂを押下すると、ＣＰＵ２は地色除去の処理を実行する。「地色除去」が実行されると、その旨が表示部９のＬＣＤ８ａに表示される。これを確認したユーザが、ハードキーの図示しない「スタートボタン」を押下すると、ＣＰＵ２はコピー処理を開始する。
【００３４】
（第１の実施の形態の効果）
以上説明した第１の実施の形態によれば、下記の効果を奏する。
（イ）ＩＤ番号３３の入力に応じて、それより下層の全階層分の画面リストを動的にガイドメッセージ表示部２４に表示できるため、２階層以上の深い位置の画面であっても、タッチパネルを利用してダイレクトに選択することができる。
（ロ）２〜３階層分のＩＤ番号３３を覚えれば、ＩＤ入力と絞り込み表示されたリストへのタッチ操作と併用することで、画面選択の操作性を向上させることができる。
【００３５】
［第２の実施の形態］
図６は、本発明の第２の実施の形態に係る画像処理装置の表示画面を示す。本実施の形態は、第１の実施の形態において、図４に示したリスト表示を行わずに、目的とする下位の階層を表示するようにしたものであり、画面構成およびハードウェア構成は、第１の実施の形態と同様である。
【００３６】
ユーザが、例えば、「地色除去」の設定画面のＩＤ番号３３を「１−２−３」であることを予め把握している場合には、枝番号３２の入力ごとに設定画面を表示する必要はない。そこで、ユーザが、テンキー部２０のテンキー２０ａを操作して、「１」（コピー）、「２」（画質調整）、「３」（地色除去）と連続的に入力すると、ＣＰＵ２は図６の画面を表示する。この画面には、第３階層の「地色除去」の機能項目のみが表示され、他の欄は空欄にされている。
【００３７】
ここで、ユーザが、タッチパネル８ｂの機能ボタン２２を押下すると、画面は図６から図５の内容に変化する。図５の設定画面において、ユーザが「する」キー３６ｂを押下すると、ＣＰＵ２は地色除去の処理を実行する。その後、ユーザがハードキーの図示しない「スタートボタン」を押下すると、ＣＰＵ２はコピー処理を開始する。
【００３８】
（第２の実施の形態の効果）
この第２の実施の形態によれば、表示したい下位の階層のＩＤ番号３３をユーザが知っている場合、上位の階層の設定画面を表示することなく、目的の下位の階層の設定画面を表示することができる。その他の効果は、第１の実施の形態と同様である。
【００３９】
［第３の実施の形態］
図７は、本発明の第３の実施の形態に係る画像処理装置の表示画面を示す。本実施の形態は、第１の実施の形態において、設定値表示チェック部２５を用いて設定画面を表示するようにしたものであり、画面構成およびハードウェア構成は、第１の実施の形態と同様である。
【００４０】
まず、ユーザは、タッチパネル８ｂの設定値表示チェック部２５にチェックを入れる。次に、「コピー」のＩＤ番号３３である「１」のテンキー２０ａ押下する。この操作に対し、ＣＰＵ２はガイドメッセージ表示部２４に図７のリストを表示する。
【００４１】
図７は、設定値表示チェック部２５がチェックされた場合のリスト表示を示す。ガイドメッセージ表示部２４には、図２で示した設定値３４も表示される。ユーザが、図７の最下行に表示されている「地色除去」の右側の「する」の部分を押下すると、ＣＰＵ２は、ガイドメッセージ表示部２４の「地色除去」の行を青色等の背景色に変換する。ここで、ユーザが、「決定」の表記がなされた機能ボタン２２を押下する。この操作を検知したＣＰＵ２は、「地色除去」の処理を開始する。その後、ユーザがハードキーの図示しない「スタートボタン」を押下すると、ＣＰＵ２はコピー処理を開始する。
【００４２】
（第３の実施の形態の効果）
この第３の実施の形態によれば、ガイドメッセージ表示部２４に表示された設定値３４を選択できるので、図５に示すような設定画面を表示することなく、希望する機能パラメータの処理を迅速に開始させることができる。その他の効果は、第１の実施の形態と同様である。
【００４３】
［第４の実施の形態］
図８は、本発明の第４の実施の形態に係る画像処理装置の表示画面を示す。本実施の形態は、第３の実施の形態と同様に、設定値表示チェック部２５を用いて設定画面を他の形式で表示するものであり、画面構成およびハードウェア構成は、第１の実施の形態と同様である。
【００４４】
まず、ユーザは、図８に示すタッチパネル８ｂの設定値表示チェック部２５にチェックを入れる。次に、「地色除去」の第１〜第４の階層に至るＩＤ番号３３「１−２−３−２」をテンキー２０ａにより入力する。入力した枝番号は、画面番号表示部２１に順次表示される。上記入力操作に対し、ＣＰＵ２は、設定値を「地色除去」の１つに絞り込んだ図８のリストをガイドメッセージ表示部２４に表示する。
【００４５】
次に、ユーザは、「決定」の表記がなされた機能ボタン２２を押下する。この操作を検知したＣＰＵ２は、「地色除去」の処理を開始する。その後、ユーザがハードキーの図示しない「スタートボタン」を押下すると、ＣＰＵ２はコピー処理を開始する。
【００４６】
（第４の実施の形態の効果）
この第４の実施の形態によれば、設定値３４まで含めたＩＤ番号３３を入力することにより、図５に示すような設定画面を表示することなく、希望する機能パラメータの処理を直ちに開始させることができる。その他の効果は、第１の実施の形態と同様である。
【００４７】
［第５の実施の形態］
図９は、本発明の第５の実施の形態に係る画像処理装置の表示画面を示す。本実施の形態は、ＩＤ番号３３が２桁以上になる場合の画面設定である。この設定画面は、親展ボックスに関するものであり、下位の階層のＩＤ番号３３は３桁になっている。
【００４８】
（親展ボックスの選択）
親展ボックスに関する上位の階層のＩＤ番号３３が「３」で、自分専用の親展ボックスのＩＤ番号３３が「３−１０５」であるとする。ユーザは、表示画面１００に表示されている初期画面に対して「３」のテンキー２０ａを押下し、スキャナ機能を選択する。
【００４９】
次に、ユーザは、テンキー部２０の「３桁」キー２０ｃを押下する。ついで、親展ボックスの枝番号「１０５」を「１」、「０」、「５」の順でテンキー２０ａにより入力するが、「１」、「０」と入力した段階で、ＣＰＵ２は図９の（ａ）の画面を表示する。このとき、ガイドメッセージ表示部２４には、スキャナ、親展ボックス、および画面番号表示部２１の「３−１０」に対応した名称までが表示される。
【００５０】
次に、図９（ａ）の黒塗り部にテンキー２０ａの「５」を入力すると、画面番号表示部２１に「３−１０５」が表示された後、図９の（ａ）の画面から（ｂ）の画面に変化する。ガイドメッセージ表示部２４には、ＩＤ番号３３「３−１０５」に対応する名称「富士六郎」が表示される。
【００５１】
（第５の実施の形態の効果）
この第５の実施の形態によれば、下記の効果を奏する。
（イ）ＩＤ番号３３の入力にソフトテンキーによるテンキー部２０を用い、１階層下の画面に対して選択数を３桁まで可能にしたため、選択対象画面を増やすことができる。
（ロ）ＩＤ番号３３の入力に応じて、それより下層の全階層分の画面リストを動的にガイドメッセージ表示部２４に表示できるため、２階層以上の深い位置の画面であっても、タッチパネルを利用してダイレクトに選択することができる。
（ハ）２〜３階層分のＩＤ番号３３を覚えれば、ＩＤ入力と絞り込み表示されたリストへのタッチ操作と併用することで、画面選択の操作性を向上させることができる。
【００５２】
なお、本発明は、上記実施の形態に限定されず、その要旨を逸脱しない範囲内において種々に変形実施が可能である。また、本発明の要旨を逸脱しない範囲内において、各実施の形態の構成要素を任意に組み合わせることは可能である。例えば、上記第１乃至第５の実施の形態による検索対象の方法を一台の装置で実現してもよい。これにより、１台の装置でユーザの様々な利用態様に応じることができる。
【００５３】
また、本発明は、検索対象として機能設定画面について説明したが、ファイルや画像等の他のものでもよい。また、本発明は、画像処理装置に限らず、パーソナルコンピュータやそれを含むシステム等にも広く適用することができる。
【図面の簡単な説明】
【００５４】
【図１】本発明の実施の形態に係る画像処理装置を示すブロック図である。
【図２】ガイドメッセージ表示部に表示されるリストの階層構造を示す説明図である。
【図３】初期画面を示す画面図である。
【図４】ガイドメッセージ表示部に表示されたコピー機能の下層に存在する機能のリストを示す画面図である。
【図５】図４における「地色除去」の設定画面が表示された画面図である。
【図６】本発明の第２の実施の形態に係る画像処理装置の表示画面を示す画面図である。
【図７】本発明の第３の実施の形態に係る画像処理装置の表示画面を示す画面図である。
【図８】本発明の第４の実施の形態に係る画像処理装置の表示画面を示す画面図である。
【図９】本発明の第５の実施の形態に係る画像処理装置の表示画面を示す画面図である。
【符号の説明】
【００５５】
１  画像処理装置
２  ＣＰＵ
３  バス
４  ＲＯＭ
４ａ  機能実行プログラム
４ｂ  表示用プログラム
５  ＲＡＭ
５ａ  設定画面データ
５ｂ  階層構造データ
６  スキャナ部
７  印刷部
８  表示入力部
８ａ  ＬＣＤ
８ｂ  タッチパネル
１０  ＬＣＤコントローラ
１１  タッチパネルコントローラ
１２  ファックス通信部
１３  ネットワーク通信部
２０  テンキー部
２０ａ  テンキー
２０ｂ  ２桁キー
２０ｃ  ３桁キー
２１  画面番号表示部
２２  機能ボタン
２３  クリアキー
２４  ガイドメッセージ表示部
２４ａ，２４ｂ  スクロールバー
２５  設定値表示チェック部
３０ａ  第１階層
３０ｂ  第２階層
３０ｃ  第３階層
３０ｄ  第４階層
３１  機能項目
３２  枝番号
３３  ＩＤ番号
３４  設定値
３５  階層番号
３６ａ  「しない」キー
３６ｂ  「する」キー
３７ａ  「取り消し」キー
３７ｂ  「閉じる」キー
１００  表示画面
【図１】
2006245937.tif 000003
【図２】
2006245937.tif 000004
【図３】
2006245937.tif 000005
【図４】
2006245937.tif 000006
【図５】
2006245937.tif 000007
【図６】
2006245937.tif 000008
【図７】
2006245937.tif 000009
【図８】
2006245937.tif 000010
【図９】
2006245937.tif 000011